(57)【要約】【課題】運転時においても、駆動回路一体型モータの温度上昇を抑制することが可能で、かつ信頼性の高い小型の駆動回路一体型モータを提供することを目的とする。【解決手段】ブラシレスモータと駆動回路部を一体的に構成した駆動回路一体型のモータであって、ブラシレスモータに当接する側に空気層、駆動回路部側に仕切板を配置させ、形成された断熱層を当該構成部相互が対向する位置に設けた構成としている。このような構成とすることで、運転時における温度上昇を抑制可能な小型の駆動回路一体型モータを得ることができる。【選択図】図１
2007028899.tif 000002
【特許請求の範囲】
【請求項１】
樹脂モールドされたモータと、駆動回路と駆動回路カバーと回路カバー内空間とからなる駆動回路部と前記樹脂モールドされたモータの反出力側とが当接するように固定された駆動回路一体型モータにおいて、前記モータと駆動回路部とが対向する位置に空気層と仕切板の組合せにより形成される断熱層が設けられ、かつ前記樹脂モールドされたモータと前記駆動回路部との前記固定が前記樹脂モールドの外被と前記駆動回路カバーとの当接面の構成であることを特徴とする駆動回路一体型モータ。
【請求項２】
モータに当接する断熱層は空気層であり、かつ駆動回路部側に配置される断熱層が仕切板であることを特徴とする請求項１に記載の駆動回路一体型モータ。
【請求項３】
モータの他の機器への取り付け部を、断熱層より高熱伝導率材としたことを特徴とする請求項１または請求項２に記載の駆動回路一体型モータ。
【請求項４】
モータがブラシレスモータであることを特徴とする請求項１から請求項３に記載の駆動回路一体型モータ。
【請求項５】
請求項１から請求項４に記載の駆動回路一体型モータを搭載したことを特徴とする産業用機器。
【発明の詳細な説明】
【技術分野】
【０００１】
本発明はコンベア等の搬送機器、生産設備、各種工作機械、食品機械に代表される一般産業用機器や、ドア開閉、福祉機器等に幅広く搭載される駆動回路一体型のモータに関する。
【背景技術】
【０００２】
従来コンベア等の搬送用機器に搭載されるモータは、図３に示すようにモータ１０と駆動回路部１１が別体として構成されており、図４にこれらを搭載したコンベアを示す。
【０００３】
なお、モータ１０には、インダクションモータを採用している。
【０００４】
また、高効率を実現できるモータとしてはブラシレスモータが知られており、高効率であるが故に、インダクションモータと比較して同等の出力が必要な場合、小型化することができる。
【発明の開示】
【発明が解決しようとする課題】
【０００５】
コンベア等の搬送機器に搭載されるモータと駆動回路部を合わせた小型化の要求は高く、解決すべき必須の課題となっている。
【０００６】
しかし、単にモータ部をブラシレスモータ化するのみでは、この要求に答えることはできない。
【０００７】
また、ブラシレスモータと駆動回路部を単に一体化し、駆動回路部を小型化するのみでは、駆動回路部を構成する回路カバー内空間が狭くなり発熱体であるブラシレスモータに駆動回路が接近することとなり、信頼性が低下してしまう。
【０００８】
さらに、上記のような一体構造とした場合、断熱材である空気の対流により回路カバー内空間の温度が上昇する。
【０００９】
また、食品用機器等に搭載された場合、機器が洗浄されることがあるので、モータは防水機能を持つことが要求されており、このためカバー内は密閉され、温度が上昇しやすい。
【００１０】
本発明は、上記従来の課題を鑑みなされるものであり、運転時においても、駆動回路一体型モータの温度上昇を抑制することが可能で、かつ信頼性の高い小型の駆動回路一体型モータを提供することを目的とする。
【課題を解決するための手段】
【００１１】
上記従来の課題を解決するために本発明は、ブラシレスモータと駆動回路部を一体的に構成した駆動回路一体型のモータであって、ブラシレスモータに当接する側に空気層、駆動回路部側に仕切板を配置させ、形成された断熱層を当該構成部相互が対向する位置に設けた構成としている。具体的には、本件出願の発明は、樹脂モールドされたモータと、駆動回路と駆動回路カバーと回路カバー内空間とからなる駆動回路部と前記樹脂モールドされたモータの反出力側とが当接するように固定された駆動回路一体型モータにおいて、前記モータと駆動回路部とが対向する位置に空気層と仕切板の組合せにより形成される断熱層が設けられ、かつ前記樹脂モールドされたモータと前記駆動回路部との前記固定が前記樹脂モールドの外被と前記駆動回路カバーとの当接面の構成であることを特徴とする駆動回路一体型モータである。
【００１２】
モータおよび駆動回路部相互への熱伝導を抑制することが可能であり、仕切板による空気の流れを遮断することで、断熱層の断熱効率を高めることができる。
【００１３】
また、本件出願の発明は、モータに当接する断熱層は空気層であり、かつ駆動回路部側に配置される断熱層が仕切板であることを特徴とする請求項１に記載の駆動回路一体型モータであり、発熱量の大きなモータ側に、熱伝導率の低い空気層を設けることで、駆動回路部への断熱効率を高めることが可能であり、さらに、仕切板により前記空気層の空気が駆動回路部側への対流を遮断することができる。
【００１４】
また、本件出願の発明は、モータの他の機器への取り付け部を、断熱層より高熱伝導率材としたことを特徴とする請求項１または請求項２に記載の駆動回路一体型モータであり、熱の伝わりを取り付け部側とすることが可能で、モータの発熱を機器へ放熱することができる。
【００１５】
また、本件出願の発明は、モータがブラシレスモータであることを特徴とする上記の発明であり、駆動回路一体型モータを小型化した場合においても、ブラシレスモータにおける発熱を、よりブラシレスモータに接近して配置される駆動回路部に伝わり難くすることができる。
【００１６】
また、本件出願の発明は、上記の発明の駆動回路一体型モータを搭載したことを特徴とする産業用機器であり、小型で信頼性の高い搬送機器とすることができる。
【発明の効果】
【００１７】
以上のように本発明によれば、高効率で小型化が可能なブラシレスモータと駆動回路が対向する位置に空気層と仕切板の組合せにより形成される断熱層を設けた駆動回路一体型モータとしているので、運転時の温度上昇を抑制し、かつブラシレスモータによる小型化が可能な駆動回路一体型モータを得ることができる。
【００１８】
また、ブラシレスモータに当接する側に空気層、駆動回路部側に仕切板を配置させ、形成された断熱層とすることで、断熱性能を高めることが可能で、駆動回路一体型モータの運転時の温度上昇を抑制することができる。
【００１９】
また、駆動回路一体型モータを他機器への取り付けに供される取り付け部を断熱層より熱伝導率の高い材質とすることで、効率良く機器側へ放熱させることができる。
【００２０】
そして、上記有用な効果を有する駆動回路一体型モータを産業用機器に搭載することにより、当該機器の信頼性を向上させることができる。
【発明を実施するための最良の形態】
【００２１】
以下、本発明の具体例について、図１、図２を用いて説明する。
【００２２】
（実施の形態１）
図１は本発明の駆動回路一体型モータを示すものであり、図において、１は駆動回路一体型モータ、２はブラシレスモータ、３は駆動回路部、３Ａは駆動回路、３Ｂは回路カバー、３Ｃは回路カバー内空間、４は断熱層、４Ａは空気層、４Ｂは仕切板、４Ｃは断熱シート、５は外被、６は取り付け部である。
【００２３】
駆動回路一体型モータ１において、ブラシレスモータ２の反出力軸側に、ブラシレスモータ２と当接するように駆動回路部３が固定されている。
【００２４】
ブラシレスモータ２と駆動回路部３が対向する位置には、ブラシレスモータ２側に空気層４Ａが当接されており、駆動回路部３側には樹脂、紙製あるいは発泡スチロール等から成る仕切板４Ｂが配置され、断熱層４が形成されている。
【００２５】
なお、ブラシレスモータ２の外被５は、低振動および低騒音化を実現するために、樹脂モールドされている。
【００２６】
駆動回路一体型モータ１の運転にともない、ブラシレスモータ２と駆動回路３Ａは互いに発熱する。しかし、断熱層４によりブラシレスモータ２から駆動回路部３、または駆動回路３Ａから回路カバー３Ｂ若しくは回路カバー内空間３Ｃにある空気を介しての熱の伝わりが遮断させることになり、各々で発生した熱は各々が有する放熱性能を十分に発揮することが可能となる。
【００２７】
具体的には、定格出力３０Ｗ級の駆動回路一体型モータの定格運転時の回路カバー内空間３Ｃの飽和温度は、本発明の駆動回路一体型モータ１の場合、４２．６℃で、同様な構成で、空気層４Ａと仕切板４Ｂから形成される断熱層４を有さない、すなわち、仕切板４Ｂがなく空気の対流が可能な構成の駆動回路一体型モータの場合の飽和温度４８．５℃と比較して、約６℃の低減が可能である。
【００２８】
また、駆動回路カバー３Ｂとブラシレスモータ２との当接面に断熱シート４Ｃを挟持させることで、断熱効果を高めることができる。
【００２９】
さらに、上記は駆動回路一体型モータ１単体での結果であり、コンベアに搭載した場合は、取り付け部６を介して、ブラシレスモータ２が発熱した熱が放熱されるため、より効率良く駆動回路一体型モータ１の温度を低下させることができる。
【００３０】
なお、樹脂モールドによる外被５と取り付け部６の熱伝導率を比較した場合、後者の熱伝導率を高くしておくことで、熱の伝わりを取り付け部６側に促進させることができる。取り付け部６としてはアルミニウムが好適である。さらに、その当接面あるいは対向している狭空間に放熱特性に優れたものを充填させておくと良い。
【００３１】
また、駆動回路部３は回路カバー３Ｂについてもアルミニウム等の高熱伝導材質としておくことで駆動回路３Ａの熱を効率良く放熱させることが可能で、さらに、その当接面あるいは対向している狭空間に放熱特性に優れたものを充填させておくと良い。
【００３２】
図２は図１に示す駆動回路一体型モータを搭載したコンベア示している。駆動回路一体型モータ１はコンベア内にコンパクトに収納することができる。
【００３３】
また、食品用機器等に搭載された場合、機器が洗浄されることがあるので、上記断熱シートや、放熱特性に優れた充填物に防水機能を持たせると良い。
【産業上の利用可能性】
【００３４】
本発明は、機器等に幅広く搭載される駆動回路一体型のモータに関して、運転時の温度上昇を抑制し、小型化が可能な駆動回路一体型モータを提供するものである。
【図面の簡単な説明】
【００３５】
【図１】本発明の駆動回路一体型モータを示す断面図
【図２】本発明の駆動回路一体型モータを搭載したコンベアを示す図
【図３】従来の駆動回路別体のモータを示す図
【図４】従来の駆動回路別体のモータを搭載したコンベアを示す図
【符号の説明】
【００３６】
１  駆動回路一体型モータ
２  ブラシレスモータ
３  駆動回路部
３Ａ  駆動回路
３Ｂ  回路カバー
３Ｃ  回路カバー内空間
４  断熱層
４Ａ  空気層
４Ｂ  仕切板
４Ｃ  断熱シート
５  外被
６  取り付け部
【図１】
2007028899.tif 000003
【図２】
2007028899.tif 000004
【図３】
2007028899.tif 000005
【図４】
2007028899.tif 000006